(57)【要約】【課題】電子機器に搭載される操作キー部分の防水並びにコンパクトな載置構造を有するキーパネルユニットおよび該キーパネルユニット搭載の電子機器を提供する。【解決手段】筐体の外面側に載置されるキー基板と、キー基板のさらに外面側に載置されるキーパネルユニットとを有する電子機器であって、前記キーパネルユニットは、キートップと、キーパネルと、キーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの周縁の第２の内面と該防水シートの外面の周縁とを接着する第２の両面テープと、該防水シートの内面の周縁と前記筐体の外面とを接着する第３の両面テープとを有する。【選択図】  図３
2012059487.tif 000002
【特許請求の範囲】
【請求項１】
筐体と、該筐体の外面側に載置されるキー基板と、該筐体およびキー基板のさらに外面側に載置されるキーパネルユニットとを有する電子機器であって、
前記キーパネルユニットは、
キートップと、該キートップが挿入される穴部が形成されたキーパネルと、該キートップおよびキーパネルの第１の内面側に載置されたキーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの周縁の第２の内面と該防水シートの外面の周縁とを接着する第２の両面テープと、該防水シートの内面の周縁と前記筐体の外面とを接着する第３の両面テープとを有する
ことを特徴とする電子機器。
【請求項２】
筐体の外面側に載置されるキー基板のさらに外面側に載置されるキーパネルユニットであって、
キートップと、該キートップが挿入される穴部が形成されたキーパネルと、該キートップおよびキーパネルの第１の内面側に載置されたキーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの周縁の第２の内面と該防水シートの外面の周縁とを接着する第２の両面テープと、該防水シートの内面の周縁と前記筐体の外面とを接着する第３の両面テープとを有する
ことを特徴とするキーパネルユニット。
【請求項３】
筐体と、該筐体の外面側に載置されるキー基板およびディスプレイパネルと、該筐体およびキー基板のさらに外面側に載置されるキーパネルユニットと
を有する電子機器であって、
前記キーパネルユニットは、
キートップと、該キートップが挿入される穴部が形成されたキーパネルと、該キートップおよびキーパネルの第１の内面側に載置されたキーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの第２の内面と該防水シートの外面とを接着する第２の両面テープと、該防水シートの内面の周縁と前記筐体の外面とを接着する第３の両面テープと、該キーパネルの前記ディスプレイパネル側に対峙する部分を前記ディスプレイパネル側へ延伸し、該延伸部分の内面と前記ディスプレイパネルの外面とを接着する第４の両面テープとを有する
ことを特徴とする電子機器。
【請求項４】
筐体の外面側に載置されるキー基板およびディスプレイパネルのさらに外面側に載置されるキーパネルユニットであって、
キートップと、該キートップが挿入される穴部が形成されたキーパネルと、該キートップおよびキーパネルの第１の内面側に載置されたキーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの第２の内面と該防水シートの外面とを接着する第２の両面テープと、該防水シートの内面の周縁と前記筐体の外面とを接着する第３の両面テープと、該キーパネルの前記ディスプレイパネル側に対峙する部分を前記ディスプレイパネル側へ延伸し、該延伸部分の内面と前記ディスプレイパネルの外面とを接着する第４の両面テープとを有する
ことを特徴とするキーパネルユニット。
【発明の詳細な説明】
【技術分野】
【０００１】
本発明の実施形態は、防水構造を有するキーパネルユニットおよび該キーパネルユニット搭載の電子機器に関する。
【背景技術】
【０００２】
携帯電話機（電子機器）は防水化が進み、携帯電話機に搭載される操作キー部分も防水構造が必要とされる。携帯電話機のキー構造は、電気接点のあるキー基板と、キー基板の電気接点を押下するキートップ等のキーパネルの組み合わせで構成される。この電気接点のあるキー基板への水の浸入を防止する必要があると共に、携帯電話機の筐体へのコンパクトな載置構造が必要とされる。
【先行技術文献】
【特許文献】
【０００３】
【特許文献１】特開２００６−３３２０３号公報
【発明の概要】
【発明が解決しようとする課題】
【０００４】
電子機器に搭載される操作キー部分の防水並びにコンパクトな載置構造を有するキーパネルユニットおよび該キーパネルユニット搭載の電子機器を提供することを目的とする。
【課題を解決するための手段】
【０００５】
上記目的を達成するために、本発明の実施形態の電子機器は、筐体と、該筐体の外面側に載置されるキー基板と、該筐体およびキー基板のさらに外面側に載置されるキーパネルユニットとを有する電子機器であって、前記キーパネルユニットは、キートップと、該キートップが挿入される穴部が形成されたキーパネルと、該キートップおよびキーパネルの第１の内面側に載置されたキーシートと、該キートップおよびキーパネルの第１の内面と該キーシートの外面とを接着する第１の両面テープと、該キーパネルおよびキーシートの内面側に載置され、前記キー基板の外面側全体を覆い周縁が前記筐体の外面にかぶさる防水シートと、該キーパネルの周縁の第２の内面と該防水シートの外面の周縁とを接着する第２の両面テープと、該防水シートの内面の周縁と前記筐体の外面とを接着する第３の両面テープとを有することを特徴とする。
【図面の簡単な説明】
【０００６】
【図１】本発明の各実施例に係る電子機器１００の外観図。
【図２】本発明の実施例１に係る上筐体８０の主面側の分解平面図。
【図３】本発明の実施例１に係る上筐体８０のキー部等のＸ−Ｘ断面図。
【図４】本発明の実施例２に係る上筐体８０の主面側の分解平面図。
【発明を実施するための形態】
【０００７】
図１は、本発明の各実施例に係る電子機器１００の外観図である。電子機器１００は、スライド型の携帯電話機の例であり、上筐体８０と下筐体９０とがスライド自在に係合される。下筐体９０の主面には、テンキー９１が載置される。上筐体８０の主面には、キーパネルユニット２０とディスプレイパネル４０が載置される。
【０００８】
次に、上筐体８０の主面のキー部等の構造について説明する。なお、主面以外の側面および背面側の防水構造については、本発明の意図するところではなく、説明しない。  
【実施例１】
【０００９】
図２は、本発明の実施例１に係る上筐体８０の主面側の分解平面図である。上筐体８０の主面側には、キー基板３０とディスプレイパネル４０が載置される。キー基板３０には、キードーム３０ａが形成され、キードーム３０ａの中にキー接点（不図示）があり、キー基板３０を防水する必要がある。キーパネルユニット２０は、キー基板３０の外面側に取り付けられて、キー基板３０の外面側を防水する。
【００１０】
外面側とは、上筐体８０の主面側で筐体外部への方向を以降称する。内面側とは、主面側で筐体内部への方向を以降称する。  
キーパネルユニット２０は、キー基板３０の外面側を覆う全体部分であり、キー外面カバー１０、両面テープ５（第２の両面テープ）、防水シート６、両面テープ７（第３の両面テープ）等から構成される。キー外面カバー１０は、電子機器１００の使用者が触れる最外面部分であり、キーパネル１、キートップ２、両面テープ３（第１の両面テープ）、キーシート４等から構成される。
【００１１】
キー外面カバー１０の詳細は、あと（図３）で説明する。両面テープ５は、中抜きの構造で、キー外面カバー１０と、防水シート６とを接着する。
【００１２】
両面テープ７は、中抜きの構造の防水両面テープであり、防水シート６とキー基板３０の周縁側の上筐体８０とを接着する。
【００１３】
次に、Ｘ−Ｘで示したＸ−Ｘ断面について説明する。  
図３は、本発明の実施例１に係る上筐体８０のキー部等のＸ−Ｘ断面図である。  
上筐体８０の外面側には、キー基板３０が載置される。キー基板３０に形成されるキードーム３０ａ等は図示を省略する。上筐体８０には、配線穴８０ａが形成され、キー基板３０と上筐体８０の内部の回路基板（不図示）との間を接続する配線３１が通される。
【００１４】
このキー基板３０を覆うように載置されて、キー基板３０を防水するキーパネルユニット２０について次に説明する。  
キーパネルユニット２０は、キー外面カバー１０（＝符号１〜４）と、両面テープ５（第２の両面テープ）、防水シート６、両面テープ７（第３の両面テープ）等から構成される。
【００１５】
キー外面カバー１０（＝符号１〜４）について説明する。キーパネル１には、穴１ａ、第１の内面部１ｂ、第２の内面部１ｃが形成される。穴１ａには、キートップ２が載置される。キーパネル１の第１の内面部１ｂおよびキートップ２の内面部２ｂに対して、キーシート４が両面テープ３で接着される。このキー外面カバー１０のキーパネル１の第２の内面部１ｃに対して、防水シート６が両面テープ５で接着される。この両面テープ３と両面テープ５は、それぞれの両面側の部材を接着するためであり、接着部分の幅W１、W２は、防水機能については考慮せず、接着強度のみを考慮した狭い幅とすることができる。
【００１６】
防水シート６の内面側には、さらに両面テープ７が貼り付けられている。以上の符号１〜７から構成されるユニットがキーパネルユニット２０である。
【００１７】
このキーパネルユニット２０をキー基板３０を覆うようにかぶせて、両面テープ７によりキー基板３０の周縁側外部の上筐体８０に接着する。キー基板３０は、外面側が全て防水シート６で覆われ、また、横方向は、両面テープ７で接着されているので、キー基板３０を防水することができる。両面テープ７の接着部分の幅Ｗ３は、防水性能上、所定値以上の幅が必要である。このキーパネルユニット２０をキー基板３０を覆うようにかぶせて、両面テープ７で接着することで、キーパネルユニット２０自体の上筐体８０への取り付けが完了する。
【００１８】
本発明の実施例１によれば、キーパネルユニット２０自体でキー基板３０への防水機能を有しており、キーパネルユニット２０を上筐体に接着することで、防水シート６と両面テープ７による防水と上筐体への取り付けとを完了することができる。
【００１９】
しかも、両面テープ３と両面テープ５の接着部分の幅W１、W２は、防水機能については考慮せず、接着強度のみを考慮した狭い幅でよいため、キーパネルユニット２０の占める面積を増やすことがなくなる。また、使用者が操作するキートップの面積を小さくする必要がなくてすむ。
【００２０】
このように、防水機能を有すると共に、全体の占有面積が小さく、キートップの操作性のよいキーパネルユニット２０とすることができる。
【実施例２】
【００２１】
図４は、本発明の実施例２に係る上筐体８０の主面側の分解平面図である。実施例１と同様に、キー基板３０への防水機能は、防水シート６と両面テープ７による防水を行う。実施例１との相違点は、キーパネル１をディスプレイパネル４０の方へ延伸して、ディスプレイパネル４０と接着することで、主面のデザインが、キーパネル１とディスプレイパネル４０と一体化したデザインとすることができる点である。以下、相違点を主に説明する。
【００２２】
ディスプレイパネル４０は、上筐体８０の外面側で、キー基板３０と同じ面に両面テープ４１（第５の両面テープ）により接着される。  
キーパネルユニット２０のキーパネル１は、ディスプレイパネル４０の方へ延伸した延伸部１ｄを有する。この延伸部１ｄを両面テープ８（第４の両面テープ）によりディスプレイパネル４０に接着する。また、キーパネルユニット２０は、両面テープ７により上筐体８０に接着される。これにより、キーパネルユニット２０は、上筐体８０に取り付けられる。
【００２３】
本発明の実施例２によれば、キーパネルユニット２０自体でキー基板３０への防水機能を有しており、キーパネルユニット２０を上筐体に接着することで、この防水と上筐体への取り付けとを完了することができる。さらに、主面のデザインがキーパネル１とディスプレイパネル４０と一体化したデザインとすることができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  キーパネル
１ａ  穴
１ｂ  第１の内面部
１ｃ  第２の内面部
１ｄ  延伸部
２  キートップ
２ａ  外面部
２ｂ  内面部
３  両面テープ（第１の両面テープ）
４  キーシート
５  両面テープ（第２の両面テープ）
６  防水シート
７  両面テープ（第３の両面テープ）
８  両面テープ（第４の両面テープ）
１０  キー外面カバー
２０  キーパネルユニット
３０  キー基板
３０ａ  キードーム
３１  配線
４０  ディスプレイパネル
４１  両面テープ（第５の両面テープ）
８０  上筐体
８０ａ  配線穴
９０  下筐体
９１  テンキー
１００  電子機器
【図１】
2012059487.tif 000003
【図２】
2012059487.tif 000004
【図３】
2012059487.tif 000005
【図４】
2012059487.tif 000006